(57)【特許請求の範囲】
【請求項１】
排熱などを熱源として吸収液を加熱し冷媒を蒸発分離する一重効用再生器と、その一重効用再生器から供給される冷媒蒸気を凝縮させる一重効用凝縮器と、高温再生器から供給される冷媒蒸気により吸収液を加熱して冷媒を蒸発分離する二重効用再生器と、その二重効用再生器から供給される冷媒を凝縮させる二重効用凝縮器と、蒸発器と、吸収器とを備えた一重二重効用吸収冷凍機において、二重効用凝縮器に凝縮液貯留部を設け、この冷媒液貯留部は側壁部に設けた堰に対応した容積の冷媒液を貯留し、前記堰を越えて溢れ出した冷媒液が冷媒管を介して前記蒸発器に流れ込むよう配管され、一重効用凝縮器から延出された冷媒液管が、その途中に形成したＵシール部を介して前記冷媒液貯留部に貯留された冷媒液中に連通するように前記側壁の上端より低い部位に接続されたことを特徴とする一重二重効用吸収冷凍機。
【請求項２】
前記冷媒液貯留部の前記側壁の反対側に前記冷媒液管が接続され、前記冷媒液管から前記冷媒液貯留部の一端に流入した冷媒液がその反対側となる前記側壁へ流れて前記側壁から流れ出る構成であることを特徴とする請求項1記載の一重二重効用吸収冷凍機。
【発明の詳細な説明】
【０００１】
【発明の属する技術分野】
本発明は、一重二重効用吸収冷凍機（吸収冷温水機を含む）に係わるものである。
【０００２】
【従来の技術】
この種の吸収冷凍機として、高温再生器から供給される冷媒蒸気を熱源として吸収液を加熱し冷媒を蒸発分離する二重効用再生器の低温再生器１、それに併設され、低温再生器１から供給される冷媒蒸気を凝縮する二重効用凝縮器の凝縮器２、蒸発器３、吸収器４、コージェネレーション装置などから供給される温排水を熱源として吸収液を加熱し冷媒を蒸発分離する一重効用再生器の低温水再生器５、それに併設され、低温水再生器５から供給される冷媒蒸気を凝縮する一重効用凝縮器の低温水凝縮器６、冷媒ポンプ７、冷媒タンク８などを備えた図３に示す構成の一重二重効用吸収冷凍機が周知である。
【０００３】
そして、図３に示した吸収冷凍機においては、凝縮器２、低温水凝縮器６それぞれで冷却水管１２を流れる冷却水に放熱して凝縮した冷媒液は、蒸発器３にそれぞれ直接流入するように冷媒管が設けられている。
【０００４】
【発明が解決しようとする課題】
図３の構成とすることにより、一重単独、二重単独、一重二重併用の何れの運転であっても、冷媒ポンプ７を運転することにより冷媒液を冷媒タンク８で保有することが可能であるが、配管構造が複雑であると云った問題点があり、簡単な構成にする必要があった。
【０００５】
【課題を解決するための手段】
本発明は上記従来技術の課題を解決するための具体的手段として、排熱などを熱源として吸収液を加熱し冷媒を蒸発分離する一重効用再生器と、その一重効用再生器から供給される冷媒蒸気を凝縮させる一重効用凝縮器と、高温再生器から供給される冷媒蒸気により吸収液を加熱して冷媒を蒸発分離する二重効用再生器と、その二重効用再生器から供給される冷媒を凝縮させる二重効用凝縮器と、蒸発器と、吸収器とを備えた一重二重効用吸収冷凍機において、
【０００６】
前記二重効用凝縮器に冷媒液貯留部を設け、この冷媒液貯留部は側壁部に設けた堰に対応した容積の冷媒液を貯留し、前記堰を越えて溢れ出した冷媒液が冷媒管を介して前記蒸発器に流れ込むよう配管され、一重効用凝縮器から延出された冷媒液管が、その途中に形成したＵシール部を介して前記冷媒液貯留部に貯留された冷媒液中に連通するように前記側壁の上端より低い部位に接続された第１の構成の一重二重効用吸収冷凍機と、
【０００７】
前記冷媒液貯留部の前記側壁の反対側に前記冷媒液管が接続され、前記冷媒液管から前記冷媒液貯留部の一端に流入した冷媒液がその反対側となる前記側壁へ流れて前記側壁から流れ出る構成である第２の構成の一重二重効用吸収冷凍機を提供することにより、前記した従来技術の課題を解決するものである。
【０００９】
【発明の実施の形態】
以下、本発明の一実施形態を図１、図２に基づいて詳細に説明する。なお、理解を容易にするため、これらの図においても前記図３において説明した部分と同様の機能を有する部分には、同一の符号を付した。
【００１０】
例示した吸収冷凍機は、凝縮器２の内部に冷媒液貯留部１１を備え、低温再生器１から流入する冷媒蒸気が冷却水管１２を流れる冷却水に放熱し、凝縮して貯留されると共に、その冷媒液貯留部１１の底部に図示しない高温再生器の気相部から低温再生器１の内部を経由して延接された冷媒管１３が接続され、高温再生器で加熱された吸収液から蒸発分離した冷媒蒸気が低温再生器１で吸収液を加熱し、凝縮して流入するように構成されている。
【００１１】
また、冷媒液貯留部１１には、低温水凝縮器６の底部から延接された冷媒管１４が接続されて、低温水凝縮器６で冷却水管１２を流れる冷却水により冷却されて凝縮した冷媒液が、冷媒液貯留部１１に流入するように構成されている。
【００１２】
なお、冷媒液貯留部１１は、冷媒管１３、１４から流入する冷媒液の量が増えると、一端の側壁１１Ａ部にはスリット式の堰が設けてあり、必要冷媒量に応じた液面高さ（貯留量）になるように設計されている。その冷媒液貯留部１１の側壁１１Ａの反対側には、側壁１１Ａの上端より低い部位に冷媒管１４が接続され、且つ、冷媒管１４の中間部には低温水凝縮器６、冷媒液貯留部１１それぞれへの接続部分よりも低いＵシール部１４Ａが設けられている。
【００１３】
上記構成の吸収冷凍機においては、コージェネレーション装置などから供給される温排水などを熱源として、低温水再生器５で吸収液を加熱して冷媒を蒸発分離し、吸収液を濃縮する一重効用運転においても、図示しない高温再生器と低温再生器１で吸収液を加熱して冷媒を蒸発分離し、吸収液を濃縮する二重効用運転においても、また、前記一重効用運転と二重効用運転の併用運転においても、凝縮した冷媒液は凝縮器２の冷媒液貯留部１１に溜められ、そこから溢れ出た冷媒液が冷媒管１５を通って蒸発器３に入り、冷媒ポンプ７により揚液されて蒸発器３内の冷水管１６の上に散布される。
【００１４】
すなわち、一重効用単独運転で、二重効用側からの冷媒液の供給がないときにも、低温水凝縮器６で凝縮生成した冷媒液は冷媒液貯留部１１にその内容積（堰に対応した容積）だけは貯留され、冷媒貯留機能を常に確保でき、溢れ出た分だけが冷媒管１５を介して蒸発器３に流れ込み、蒸発器３内の冷水管１６の上に散布されて蒸発するので、冷媒液の全量が蒸発器３に流れ込み、そこからも溢れ出て吸収器４に流れ込み、効率を極端に低下させると云ったことがない。
【００１５】
また、冷媒液貯留部１１の冷媒液が溢れ出る側と、冷媒管１４の接続側とが冷媒液貯留部１１の互いに反対側に設けられ、冷媒管１４から冷媒液貯留部１１の一端に流入した冷媒液は、その反対側に設けられた側壁１１Ａの側に流れ、側壁１１Ａより流れ出るので、吸収液による冷媒の吸収を促進するために添加されたアルコールの循環が促され、吸収促進剤のアルコールが冷媒液貯留部１１内に滞留することがない。
【００１６】
また、二重効用単独運転中も冷媒管１４のＵシール部１４Ａは常に冷媒液によって満たされるので、一重効用側の運転を長期間行わないときなどでも、Ｕシール部１４Ａの冷媒液が蒸発してなくなることはないので、冷媒ロスが発生することがない。
【００１７】
なお、本発明は上記実施形態に限定されるものではないので、特許請求の範囲に記載の趣旨から逸脱しない範囲で各種の変形実施が可能である。
【００１８】
例えば、冷媒液貯留部の冷媒出口構造を堰として説明したが、堰の代わりに配管構造によって対応する、あるいはオリフィスを用いることなども可能である。
【００１９】
また、一重または二重の駆動熱源は、それぞれの冷凍サイクルが成立する温度を有していれば良いので、蒸気、高温水、排ガスなどであっても良い。
【００２０】
【発明の効果】
以上説明したように本発明によれば、冷媒を保有するために外付けしていた冷媒タンクが不要になり、配管構成がシンプルになった。
【００２１】
また、一重効用凝縮器から延出された冷媒液管が、その途中に形成したＵシール部を介して二重効用凝縮器に設けた冷媒液貯留部に貯留された冷媒液中に連通するように側壁の上端より低い部位に接続されるため、二重効用単独運転で一重効用側からの冷媒液の供給がないときにも、二重効用凝縮器で凝縮生成した冷媒液により一重側のＵシールが形成されるので、冷媒ロスにより効率を低下させると云ったことがない。
【００２２】
また、前記冷媒液貯留部の前記側壁の反対側に前記冷媒液管が接続され、前記冷媒液管から前記冷媒液貯留部の一端に流入した冷媒液がその反対側となる前記側壁へ流れて前記側壁から流れ出る構成であるため、冷媒液貯留部全体に冷媒液の流れが形成されるので、冷媒の吸収を促進するために添加されたアルコールの循環が促され、冷媒液貯留部に吸収促進剤であるアルコールが滞留することがない。
【図面の簡単な説明】
【図１】本発明の構成を示す説明図である。
【図２】本発明の要部を示す説明図である。
【図３】従来技術を示す説明図である。
【符号の説明】
１  低温再生器
２  凝縮器
３  蒸発器
４  吸収器
５  低温水再生器
６  低温水凝縮器
７  冷媒ポンプ
８  冷媒タンク
１１  冷媒液貯留部
１１Ａ  側壁
１２  冷却水管
１３、１４、１５  冷媒管
１６  冷水管
【図１】
0004104269.tif 000002
【図２】
0004104269.tif 000003
【図３】
0004104269.tif 000004